(57)【要約】 【課題】屋根傾斜面に沿って屋根を見上げた際に外観を良好にできるとともに排水位置が制限されない屋根構造の提供。【解決手段】陸屋根部４Ｂと傾斜屋根部４Ｄとが隣接配置され、陸屋根部４Ｂと傾斜屋根部４Ｄとに連続する水勾配が形成される。陸屋根部４Ｂと傾斜屋根部４Ｄとの間の接続部分にパラペットを省略することができる。陸屋根部４Ｂに溜まった雨水は傾斜屋根部４Ｄから外部に流されるので、通常の傾斜屋根と同様の排水構造を採用することができる。そのため、排水計画が制限されることがない。【選択図】 図５
2010001710.tif 000002
【特許請求の範囲】
【請求項１】
陸屋根部と傾斜屋根部とが隣接配置された屋根構造であって、
前記陸屋根部と前記傾斜屋根部とに連続する水勾配が形成されることを特徴とする屋根構造。
【請求項２】
請求項１に記載された屋根構造において、
前記陸屋根部の端部と前記傾斜屋根部の端部とには水勾配に沿って壁部が設けられ、前記陸屋根部と前記傾斜屋根部との接続部分には棟包みが設けられ、この棟包みは前記陸屋根部から流出される雨水を受けるとともに前記壁部側に向けて排水する樋部を備えたことを特徴とする屋根構造。
【請求項３】
請求項２に記載された屋根構造において、
前記傾斜屋根部には前記樋部の排水を受ける捨て水切りが前記壁部に沿って設けられていることを特徴とする屋根構造。
【請求項４】
請求項１から請求項３のいずれかに記載された屋根構造において、
前記陸屋根部と前記傾斜屋根部の上面には防水シートが貼付されていることを特徴とする屋根構造。
【請求項５】
請求項１から請求項４のいずれかに記載された屋根構造が設けられ平面部と傾斜部とを有する台形状に形成された建物ユニットであって、前記平面部に前記陸屋根部が設けられ、前記傾斜部に前記傾斜屋根部が設けられることを特徴とする建物ユニット。
【請求項６】
請求項５に記載された建物ユニットと、略直方体の骨組みを有する建物ユニットとを組み合わせて建てることを特徴とするユニット式建物。
【発明の詳細な説明】
【技術分野】
【０００１】
本発明は、陸屋根部と傾斜屋根部とが隣接配置された屋根構造、この屋根構造を有する建物ユニット、この建物ユニットを有するユニット式建物に関する。
【背景技術】
【０００２】
建物の屋根には種々の形状のものがあり、例えば、傾斜屋根の他に、屋根面が略平坦か、あるいは、水勾配がきわめて緩い陸屋根が知られている。
陸屋根では、その周縁部に沿って、転落防止、その他の目的のためにパラペットが配置されている。このパラペットを有する屋根構造の従来例として、パラペットより内側に排水溝を形成したユニット式建物がある（特許文献１）。
この特許文献１では、複数の建物ユニットの上にそれぞれ陸屋根ユニットを配置し、これらの陸屋根ユニットの周縁部に沿ってパラペットを設けるとともに、このパラペットの内側に排水溝が形成されている。
【０００３】
ここで、ユニット式建物では、傾斜制限等から上階部分の建物ユニットを台形型ユニットとするものがあり、このユニット式建物では、台形型ユニットの上面が陸屋根とされ、傾斜部が傾斜屋根部とされる。
このタイプのユニット式建物でも、陸屋根と傾斜屋根との間にパラペットを配置し、このパラペットに内側に排水溝を設け、この排水溝は台形ユニットの側部に設けられた縦樋と連結される。
【０００４】
【特許文献１】特開２００１−２６２７６０号公報
【発明の開示】
【発明が解決しようとする課題】
【０００５】
しかし、台形型ユニットの上面を陸屋根とし、傾斜部を傾斜屋根部とした建物ユニットでは、特許文献１で示される通り、陸屋根の周縁部にパラペットを配置すると、傾斜部と傾斜屋根部との間にもパラペットが設けられることになる。
パラペットは、通常の陸屋根では、屋根周縁部の構造と一体となって外観上問題がないが、陸屋根部の傾斜屋根部との境界部分にもパラペットが配置されると、地上にいる人に傾斜屋根の屋根面に沿ってパラペットが目視されるので、パラペット自体が目立つことになり、外観上好ましくないという問題がある。
しかも、排水溝に溜まった雨水は建物の角部等に配置された縦樋を通って外部に排出される構造が一般的であるが、陸屋根では、排水溝がパラペットの内側に配置されているので、排水溝は建物ユニットの側方に設けられた縦樋に連結される構造を採用する他はなく、排水位置が制限されるという問題がある。
【０００６】
本発明の目的は、屋根傾斜面に沿って屋根を見上げた際に外観を良好にできるとともに排水位置が制限されない屋根構造、建物ユニット及びユニット式建物を提供することにある。
【課題を解決するための手段】
【０００７】
本発明の屋根構造は、図面をも参照して説明すると、陸屋根部４Ｂと傾斜屋根部４Ｄとが隣接配置された屋根構造であって、前記陸屋根部と前記傾斜屋根部とに連続する水勾配が形成されることを特徴とする。
この構成の発明では、陸屋根部と傾斜屋根部との間の接続部分にパラペットがないので、屋根傾斜面に沿って屋根を見上げた際に屋根の外観が良好となる。
しかも、陸屋根部に溜まった雨水は傾斜屋根部から外部に流すことになり、通常の傾斜屋根と同様の排水構造を採用することができるから、排水計画が制限されない。
【０００８】
ここで、本発明では、前記陸屋根部の端部と前記傾斜屋根部の端部とには水勾配に沿って壁部７が設けられ、前記陸屋根部と前記傾斜屋根部との接続部分には棟包み２３が設けられ、この棟包みは前記陸屋根部から流出される雨水を受けるとともに前記壁部側に向けて排水する樋部２３Ｂを備えた構成が好ましい。
この構成の発明では、陸屋根部から流出される雨水は、棟包みに備えられた樋部で一旦受けられることになり、その後、この樋部で左右に流された後、傾斜屋根部から排出されることになる。
そのため、この発明では、傾斜屋根部の中央部には樋部で受けられた雨水の後が残らないので、傾斜屋根面の汚れが目立たない。例えば、陸屋根部は人が立ち入ることや風で流されたゴミ等が溜まって汚れが生じることがあり、この汚れが降雨によって傾斜屋根部に流されることがある。本発明では、棟包みに備えられた樋部で汚れた雨水が一旦受けられることになるから、傾斜屋根部の中央部分には汚れた雨水が流れることが少ないので、傾斜屋根面の汚れが目立ちにくくなる。
【０００９】
前記傾斜屋根部には前記樋部の排水を受ける捨て水切り２４が前記壁部に沿って設けられている構成が好ましい。
この構成の発明では、 棟包みに備えられた樋部で一旦受けられた雨水は捨て水切りを通ってスムーズに排出されるので、傾斜屋根面の汚れをより目立たなくすることができる。
【００１０】
前記陸屋根部と前記傾斜屋根部の上面には防水シート２２が貼付されている構成が好ましい。
この構成の発明では、防水シートによって良好な防水効果を得ることができる。
【００１１】
本発明の建物ユニットは、屋根構造が設けられ平面部６Ａと傾斜部６Ｂとを有する台形状に形成された建物ユニット６であって、前記平面部に前記陸屋根部が設けられ、前記傾斜部に前記傾斜屋根部が設けられることを特徴とする。
この構成の発明では、前述の効果を奏することができる建物ユニットを提供することができる。
【００１２】
本発明のユニット式建物は、前述の構成の建物ユニットと、略直方体の骨組みを有する建物ユニット５とを組み合わせて建てることを特徴とする。
この構成の発明では、前述の効果を奏することができるユニット式建物を提供することができる。
【発明を実施するための最良の形態】
【００１３】
以下、本発明の一実施形態を図面に基づいて説明する。
図１及び図２には、本発明の一実施形態に係るユニット式建物１の全体構成が示されている。図１はユニット式建物１の斜視図であり、図２は妻側からみた正面図である。
図１及び図２において、ユニット式建物１は、基礎２の上に形成される２階建ての建物本体３と、この建物本体３の上に形成される屋根部４とを備えたものである。
【００１４】
建物本体３は、１階部分が標準建物ユニット５を妻側に３個、桁側に２個、合計６個並べて構成されている。
２階部分が標準建物ユニット５を妻側に２個、桁側に２個並べ、さらに、桁側に台形建物ユニット６を２個並べて構成されている。これらの標準建物ユニット５や台形建物ユニット６は、それぞれ1階部分を構成する標準建物ユニット５の上に配置されている。
屋根部４は、切妻屋根部４Ａと陸屋根部４Ｂとから構成されている。切妻屋根部４Ａの大棟４Ｃは建物中心からオフセットされており、大棟の両側がそれぞれ傾斜屋根部４Ｄとされる。
陸屋根部４Ｂは２階部分の妻側に配置された２個の標準建物ユニット５の上部と、これらの標準建物ユニット５に並んで配置される台形建物ユニット６の上部の一部とに連続して形成されており、切妻屋根部４Ａは、これらの建物ユニット５，６に並んで配置された標準建物ユニット５及び台形建物ユニット６の上部と、一部に陸屋根部４Ｂが形成される台形建物ユニット６の上部の残りの部分とから構成されている。
切妻屋根部４Ａの妻側端縁には壁部７が起立して設けられ、陸屋根部４Ｂには建物周縁部に沿ってパラペットを構成する壁部８が設けられている。
【００１５】
標準建物ユニット５の骨組みの構造が図３に示されている。
図３において、標準建物ユニット５は、四隅の柱１１と、これらの柱１１の上下端を連結する天井梁１２及び床梁１３とを有する直方体状の骨組み１４を備えた標準的な建物ユニットである。柱１１の上端部と天井梁１２の端部との接合部分並びに柱１１の下端部と床梁１３の端部との接合部分は、それぞれ箱状の仕口１４Ａとされる。
天井梁１２としては、短辺天井梁１２Ａと長辺天井梁１２Ｂとの二種類が設けられ、床梁１３としては、短辺床梁１３Ａと長辺床梁１３Ｂの二種類が設けられている。
対向する長辺天井梁１２Ｂの間には、図示しない天井面材を支持するために天井小梁(図示せず)が架け渡されている。対向する長辺床梁１３Ｂの間には、図示しない、床を形成する床面材（図示せず）を支持するために複数の根太が架け渡されている。
骨組み１４には図示しない外壁材や内壁材などが必要に応じて取り付けられている。
【００１６】
台形建物ユニット６の骨組みの構造が図４に示されている。
図４において、台形建物ユニット６は四隅の柱１１，１１０と、これらの柱１１，１１０の上下端を連結する天井梁１２０及び床梁１３とを有する直方体状の骨組み１４０を備えている。
柱１１は、２本が骨組み１４０の長辺方向に並んで配置されており、これらの柱１１より短寸の柱１１０が柱１１と対向する位置にそれぞれ配置されている。
これらの柱１１，１１０の下端部には標準建物ユニット５と同様に短辺床梁１３Ａ及び長辺床梁１３Ｂからなる床梁１３が設けられている。
これらの柱１１，１１０の上端部には天井梁１２０が設けられており、この天井梁１２０としては、隣り合う柱１１の上端部同士並びに隣り合う柱１１０の上端部同士を連結する長辺天井梁１２Ｂと、隣り合う柱１１，１１０の上端部同士を連結し略への字に折れ曲がった折曲梁１２０Ａと、これらの折曲梁１２０Ａの折曲部分同士を連結する連結梁１２０Ｂとの３種類から構成される。折曲梁１２０Ａは、短辺床梁１３Ａと平行な部分と短辺床梁１３Ａに対して斜めに配置される部分とから構成される。連結梁１２０Ｂの短辺床梁１３Ａと平行な部分、長辺天井梁１２Ｂ及び連結梁１２０Ｂで区画された領域から平面部６Ａが構成され、連結梁１２０Ｂの短辺床梁１３Ａに対して斜めの部分、長辺天井梁１２Ｂ及び連結梁１２０Ｂで区画された領域から傾斜部６Ｂが構成される。骨組み１４０は短辺部分から見ると台形状とされる。
【００１７】
図１において、２階を構成する４個の標準建物ユニット５の上には標準建物ユニット５の平面と略同じ面積のパネル９がそれぞれ配置され、２階を構成する２個の台形建物ユニット６の平面部６Ａには平面部６Ａと略同じ面積のパネル１０がそれぞれ配置されている。
これらのパネル９，１０のうち傾斜屋根部４Ｄの下部に配置されるパネルには、切妻屋根部４Ａの屋根材を支持する複数の束（図示せず）が所定箇所に立設されている。そして、台形建物ユニット６の傾斜部６Ｂには傾斜屋根部４Ｄの屋根材を支持する金具(図示せず)が設けられている。
パネル９，１０のうち陸屋根部４Ｂの下部に配置されるパネルは陸屋根部４Ｂを構成する。
【００１８】
本実施形態の屋根構造の要部が図５から図１０に示されている。
図５は本実施形態にかかる屋根構造の要部を図１の矢視Ｖから見た斜視図であり、図６は図５のＶＩ−ＶＩ線に沿う矢視断面図であり、図７は図５のＶＩＩ−ＶＩＩ線に沿う矢視断面図であり、図８は図５のＶＩＩＩ−ＶＩＩＩ線に沿う矢視断面図であり、図９は図５の矢視ＩＸから見た図であり、図１０は本実施形態にかかる屋根構造の要部を図１の矢視Ｘから見た斜視図である。
図５から図８において、台形建物ユニット６の平面部６Ａには陸屋根部４Ｂを構成するパネル１０が配置されている。
このパネル１０は、台形建物ユニット６の連結梁１２０Ｂや折曲梁１２０Ａの上部に連結された断面コ字型のフレーム１０１と、このフレーム１０１に設けられたＡＬＣからなる床材１０２とを備えている。
この床材１０２は、図８に示される通り、取付部材１０３に支持されており、この取付部材１０３はフレーム１０１に取り付けられている。
【００１９】
台形建物ユニット６の傾斜部６Ｂには傾斜屋根部４Ｄを構成する屋根パネル４０が取り付けられている。
この屋根パネル４０は、図５から図７及び図９に示される通り、折曲梁１２０Ａ及び長辺天井梁１２Ｂに連結される断面口型のフレーム４１と、このフレーム４１の上に設けられた屋根下地材４２と、この屋根下地材４２の上に設けられた図示しない屋根仕上材とを備えて構成されている。
フレーム４１は，図６に示される通り、屋根下地材４２の周縁部に沿って複数本が並べて配置されている。屋根下地材４２はフレーム４１の上面に固定された面材４２Ａと、この面材４２Ａの上端部側に水平に伸びて固定された角材４２Ｂと、この角材４２Ｂの下側面に上端縁が当接され面材４２Ａに重合される板材４２Ｃとを備え、面材４２Ａと板材４２Ｃとがビスで互いに接合され、さらに、角材４２Ｂと板材４２Ｃとがビスで互いに接合されている。
屋根下地材４２の裏面には補強フレーム４１Ａが設けられ、この補強フレーム４１Ａはフレーム４１に連結されている。
【００２０】
屋根パネル４０のフレーム４１と陸屋根部４Ｂのフレーム１０１とは連結金具４３を介して互いに連結固定されている。
この連結金具４３は、フレーム１０１の側面にボルト及びナットを介して接合された第１プレート４４と、この第１プレート４４の側面に立設された連結片部４５と、この連結片部４５に接合された第２プレート４６と、この第２プレート４６にボルト及びナットを介して一片部が接合されるアングル材４７とを備えており、このアングル材４７の他片部はフレーム４１にボルト及びナットを介して接合されている。
連結金具４３の上方にはセメント等からなり陸屋根部を構成する接続板１００が略水平に配置されており、この接続板１００は、その一端部が床材１０２の側面に固定された係止用角柱１００Ａに係止され、その他端部が屋根パネル４０の上端部側に接着剤等で固定されている。
【００２１】
板材４２Ｃの角材４２Ｂと密接する位置には取付片２０がビス止めされている。角材４２Ｂの上面には金属板からなるカバー材２１がビス止めされている。このカバー材２１は雨水の浸入を防止するために下端部が折り曲げて形成されている。
取付片２０は面材４２Ａと板材４２Ｃとを接合するビスの頭との干渉を防止するために凹部２０Ａが形成されている。この凹部２０Ａは取付片２０の所定位置に複数形成されている。
カバー材２１の上面、接続板１００の上面及び床材１０２の上面には防水シート２２が接着剤等によって貼付されている。この防水シート２２によって陸屋根部４Ｂと傾斜屋根部４Ｄとに連続する水勾配が形成されることになり、陸屋根部４Ｂの雨水が傾斜屋根部４Ｄに流れるようにされている。
【００２２】
取付片２０には棟包み２３がビス止めされている。この棟包み２３は陸屋根部４Ｂと傾斜屋根部４Ｄとの接続部分に設けられるものである。
棟包み２３は、金属等の板材を折り曲げる等して形成されるものであって、カバー材２１の下端部と一部が上下に重なるように配置され取付片２０の上面に沿って配置される平板部２３Ａと、この平板部２３Ａに一体形成され陸屋根部４Ｂから流出される雨水を受けるとともに壁部側に向けて排水する樋部２３Ｂとを備えた構造である。
平板部２３Ａの上端部は、雨水の浸入を防止するために、カバー材２１と重なる部分が折り返して形成されている。
樋部２３Ｂは、平板部２３Ａに接続され取付片２０の側面に沿って形成された接続片部２３Ｂ１と、この接続片部２３Ｂ１に接続され平板部２３Ａと平行に形成された底片部２３Ｂ２と、この底片部２３Ｂ２の端部に一体形成され上方に向いて形成された立上片部２３Ｂ３とが一体に形成された構造である。樋部２３Ｂはその両端側に向かうに従って下り傾斜している。
接続片部２３Ｂ１は取付片２０の側面にビス止めされている。
【００２３】
壁部８は陸屋根部４Ｂを構成するパネル１０の周縁部に設けられており、パネル１０のフレーム１０１の上面に立設された壁体８１と、フレーム１０１の側面に固定された外壁材８２と、壁体８１に設けられた笠木８３とを備えている。
この笠木８３は、外壁材８２まで覆う構成とされる。壁体８１の上面から内側面にかけて防水シート８４が貼付されており、この防水シート８４の下端部は床材１０２の上面に貼付された防水シート２２と重合されている。
【００２４】
図５から図７及び図９に示される通り、壁部７は屋根パネル４０の端部において水勾配に沿って設けられている。
壁部７は、屋根パネル４０の下り傾斜したフレーム４１に取り付けられた壁体７１と、この壁体７１に取り付けられた笠木７２と、この笠木７２を支持するとともにフレーム４１に沿って屋根下地材４２に設けられた支持部材７３とを備えている。
支持部材７３は、幅の小さな角材７３Ａと、この幅の小さな角材７３Ａの上面に取り付けられた幅の大きな角材７３Ｂとを備えている。この角材７３Ｂの上面から角材７３Ｂの内側面に沿って笠木７２が折り曲げられて形成されており、その先端部は所定のスペースをもって角材７３Ａの側面に対向している。つまり、屋根下地材４２、支持部材７３及び笠木７２の端部から凹部空間が形成されている。
【００２５】
支持部材７３の内側面と屋根下地材４２に沿って捨て水切り２４が設けられている。この捨て水切り２４は棟包み２３の樋部２３Ｂの排水を受けるものであり、屋根下地材４２にビス止めされた水切り本体２４Ａと、この水切り本体２４Ａの端部から直角に折り曲げ形成された取付片部２４Ｂとを備えている。
水切り本体２４Ａには樋部２３Ｂから排水された雨水をせき止める堰部２４Ｃが形成されている。
取付片部２４Ｂは角材７３Ａの側面に当接される平板部と、角材７３Ｂの下面に当接される平板部と、笠木７２の先端部内周にビス止めされる平板部とから断面が略コ字状に形成されている。
【００２６】
図１において、切妻屋根部４Ａは、台形建物ユニット６の上に配置された屋根パネル５０と、この屋根パネル５０の妻側に配置された妻板部５１とを備え、この妻板部５１の上端部に沿って壁部７が設けられている。
図１０には切妻屋根部４Ａと陸屋根部４Ｂとの境界部分が示されている。
図１０において、屋根パネル５０は下り傾斜したフレーム５２と、このフレーム５２に取り付けられた屋根下地材５３とを備え、フレーム５２は台形建物ユニット６の折曲梁１２０Ａに接合されている。
壁部７は、屋根パネル５０の下り傾斜したフレーム５２に取り付けられた壁体７１と、この壁体７１に取り付けられた笠木７２と、この笠木７２を支持するとともにフレーム５２に沿って屋根下地材５３に設けられた支持部材７３とを備えている。屋根下地材５３には壁部７に沿って捨て水切り５４が設けられている。なお、図１０では棟包み２３の図示が省略されている。
【００２７】
このような本実施形態によれば、次のような効果がある。
すなわち、陸屋根部４Ｂと傾斜屋根部４Ｄとが隣接配置され、陸屋根部４Ｂと傾斜屋根部４Ｄとに連続する水勾配が形成されるから、陸屋根部４Ｂと傾斜屋根部４Ｄとの間の接続部分にパラペットを省略することができる。そのため、屋根を見上げた際に屋根の外観が良好となる。その上、陸屋根部４Ｂに溜まった雨水は傾斜屋根部４Ｄから外部に流されるので、通常の傾斜屋根と同様の排水構造を採用することができる。そのため、本実施形態では、排水計画が制限されることがない。
【００２８】
陸屋根部４Ｂと傾斜屋根部４Ｄとの端部には水勾配に沿って壁部７が設けられている。
しかも、陸屋根部４Ｂと傾斜屋根部４Ｄとの接続部分には棟包み２３が設けられ、この棟包み２３は陸屋根部４Ｂから流出される雨水を受けるとともに壁部側に向けて排水する樋部２３Ｂを備えている。そのため、陸屋根部４Ｂから流出される雨水は、棟包み２３の樋部２３Ｂで一旦受けられることになり、その後、この樋部２３Ｂで左右に流された後、傾斜屋根部４Ｄの屋根パネル４０を通じて排出されることになる。
従って、傾斜屋根部４Ｄの中央部には雨水の後が残らないので、傾斜屋根面の汚れが目立たない。
【００２９】
棟包み２３は、取付片２０にビス止めされる平板部２３Ａが樋部２３Ｂに一体に形成されているので、棟包み２３を屋根に取り付けるに際して、樋部２３Ｂに釘打ち等によって孔を開けることを要しない。そのため、樋部２３Ｂから屋根下地材に漏水することを確実に防止することができる。
さらに、平板部２３Ａはカバー材２１の下端部と一部が上下に重なるように配置されているので、上流側のカバー材２１から流下した雨水を平板部２３Ａによって受け止め、その後、樋部２３Ｂに送ることができる。そのため、平板部２３Ａから屋根下地材に漏水することを確実に防止することができる。
平板部２３Ａの上端部にはカバー材２１と重なる部分が折り返して形成されているから、雨水の屋根下地材への浸入をより確実に防止することができる。
【００３０】
傾斜屋根部４Ｄには樋部２３Ｂの排水を受ける捨て水切り２４が壁部７に沿って設けられているから、棟包み２３の樋部２３Ｂで一旦受けられた雨水が捨て水切り２４を通ってスムーズに排出される。
そのため、陸屋根部４Ｂに溜まった雨水の流路が棟包み２３及び捨て水切り２４で構成されるので、それ以外の傾斜屋根面には陸屋根部４Ｂの汚れた雨水が流れ落ちないので、傾斜屋根面の汚れをより目立たなくすることができる。
【００３１】
捨て水切り２４は堰部２４Ｃが形成された水切り本体２４Ａを備えているから、捨て水切り２４から屋根面に雨水が流れ込むことを少なくすることができるので、屋根面の汚れをより防止することができる。
陸屋根部４Ｂと傾斜屋根部４Ｄの上面には防水シート２２が貼付されているから、良好な防水効果を得ることができる。
【００３２】
なお、本発明は前記実施形態に限定されるものではなく、本発明の目的を達成できる他の構成等を含み、以下に示すような変形なども本発明に含まれる。
例えば、前記実施形態では、平板部２３Ａに樋部２３Ｂが一体形成された棟包み２３を設けた構成としたが、本発明では、図１１に示される通り、棟包み２３を省略することができる。この場合、カバー材２１の下端部の下方に水切り部材２３０を棟に沿って配置してもよい。
仮に、棟包み２３を設ける場合であっても、前記実施形態の構造に限定されるものではない。例えば、平板部２３Ａを省略して樋部２３Ｂのみを設ける構成としてもよい。
【００３３】
また、本発明では、捨て水切り２４を必ずしも設けることを要しない。
さらに、前記実施形態では、水勾配を形成する陸屋根部４Ｂと傾斜屋根部４Ｄとを台形建物ユニット６の上に設ける構成としたが、本発明では、建物ユニットではなく、在来工法で施工される屋根についても適用することができる。
屋根の構造についても前記実施形態のものに限定されるものではなく、例えば、寄せ棟屋根と陸屋根とを有する屋根構造であってもよい。
【産業上の利用可能性】
【００３４】
本発明は、戸建て住宅や集合住宅等であってユニット式建物，その他の建物に利用できる。
【図面の簡単な説明】
【００３５】
【図１】本発明の一実施形態に係るユニット式建物を示す全体斜視図。
【図２】前記ユニット式建物の妻側からみた正面図。
【図３】標準建物ユニットの骨組みの概略を示す斜視図。
【図４】台形建物ユニットの骨組みの概略を示す斜視図。
【図５】本実施形態にかかる屋根構造の要部を図１の矢視Ｖから見た斜視図。
【図６】図５のＶＩ−ＶＩ線に沿う矢視断面図。
【図７】図５のＶＩＩ−ＶＩＩ線に沿う矢視断面図。
【図８】図５のＶＩＩＩ−ＶＩＩＩ線に沿う矢視断面図。
【図９】図５の矢視ＩＸから見た図。
【図１０】本実施形態にかかる屋根構造の要部を図１の矢視Ｘから見た斜視図。
【図１１】本発明の変形例を示すもので図５に対応する図。
【符号の説明】
【００３６】
１…ユニット式建物、４Ａ…切妻屋根部、４Ｂ…陸屋根部、４Ｃ…大棟、４Ｄ…傾斜屋根部、５…標準建物ユニット、６…台形建物ユニット、６Ａ…平面部、６Ｂ…傾斜部、７，８…壁部、２０…取付片、２２…防水シート、２３…棟包み、２３Ａ…平板部、２３Ｂ…樋部、２４…捨て水切り
【図１】
2010001710.tif 000003
【図２】
2010001710.tif 000004
【図３】
2010001710.tif 000005
【図４】
2010001710.tif 000006
【図５】
2010001710.tif 000007
【図６】
2010001710.tif 000008
【図７】
2010001710.tif 000009
【図８】
2010001710.tif 000010
【図９】
2010001710.tif 000011
【図１０】
2010001710.tif 000012
【図１１】
2010001710.tif 000013